(57)【要約】【課題】粒子径に関する３つ以上のパラメータ、または、粒子形状に関する３つ以上のパラメータの比較を容易に行うことができる粒子分析装置を提供する。【解決手段】粒子分析装置は、撮像対象となる複数の粒子を含有する試料をフローセルに流し、フローセルに流れる試料中の粒子を撮像し、撮像された粒子像を解析し、解析結果を表示する。粒子分析装置に含まれる情報処理装置の表示部には、チャート１３２が表示される。チャート１３２には、３つの試料の特徴が視覚的に比較可能となるレーダチャートが表示されている。このレーダチャートには、粒子径に関する３つのパラメータと、粒子形状に関する３つのパラメータが示されている。このようにレーダチャートが表示されると、３つの試料の特徴が、６つのパラメータに基づいて視覚的に把握され得る。【選択図】図４
2011075340.tif 000002
【特許請求の範囲】
【請求項１】
撮像対象となる複数の粒子を含有する試料を通過させるフローセルと、
前記フローセルを通過する前記試料を撮像する撮像部と、
撮像により得られた粒子画像に基づいて、粒子径に関する第１のパラメータについての第１特徴値と、粒子径に関する第２のパラメータについての第２特徴値と、粒子径に関する第３のパラメータについての第３特徴値と、を取得する特徴値取得手段と、
前記第１ないし第３特徴値を同一画面上に表示した比較画面を出力する出力手段と、
を備える粒子分析装置。
【請求項２】
前記比較画面はレーダチャートを含む、
請求項１記載の粒子分析装置。
【請求項３】
前記第１のパラメータは円相当径であり、前記第２のパラメータは長軸径であり、前記第３のパラメータは短軸径である、
請求項１または２記載の粒子分析装置。
【請求項４】
前記撮像部は、前記粒子画像を複数回撮像し、
前記特徴値取得手段は、得られた複数の粒子画像に基づいて前記第１ないし第３特徴値を取得する、
請求項１ないし３の何れか一項に記載の粒子分析装置。
【請求項５】
前記特徴値取得手段は、前記複数の粒子画像それぞれについて前記第１ないし第３のパラメータについての特徴値を取得し、取得した前記第１ないし第３のパラメータについての特徴値をそれぞれ平均した平均値を、前記第１ないし第３特徴値として取得する、
請求項４記載の粒子分析装置。
【請求項６】
前記撮像部は、前記粒子画像を複数回撮像し、
前記特徴値取得手段は、得られた個々の粒子画像に基づいて前記第１ないし第３特徴値を取得する、
請求項１ないし３の何れか一項に記載の粒子分析装置。
【請求項７】
前記出力手段は、前記複数の粒子を示す一覧から選択された前記粒子について前記比較画面を出力する、
請求項６記載の粒子分析装置。
【請求項８】
前記比較画面は、正規化された第１ないし第３特徴値を表示する、
請求項１ないし７の何れか一項に記載の粒子分析装置。
【請求項９】
前記比較画面は、第１試料について取得された第１ないし第３特徴値と、第２試料について取得された第１ないし第３特徴値と、を同時に表示する、
請求項１ないし８の何れか一項に記載の粒子分析装置。
【請求項１０】
前記特徴値取得手段は、生成された前記粒子画像に基づいて、粒子の形状に関する第４のパラメータについての第４特徴値をさらに取得し、
前記比較画面は、前記第１ないし第４特徴値を同一画面上に表示する、
請求項１ないし９の何れか一項に記載の粒子分析装置。
【請求項１１】
前記特徴値取得手段は、生成された前記粒子画像に基づいて、粒子の形状に関する第５のパラメータについての第５特徴値と、粒子の形状に関する第６のパラメータについての第６特徴値と、をさらに取得し、
前記比較画面は、前記第１ないし第６特徴値を同一画面上に表示する、
請求項１０記載の粒子分析装置。
【請求項１２】
前記第４のパラメータは円形度であり、前記第５のパラメータはアスペクト比であり、前記第６のパラメータは包絡度である、
請求項１１記載の粒子分析装置。
【請求項１３】
前記第１ないし第３のパラメータを設定するための設定手段をさらに備える、
請求項１ないし１２の何れか一項に記載の粒子分析装置。
【請求項１４】
撮像対象となる複数の粒子を含有する試料を通過させるフローセルと、
前記フローセルを通過する前記試料を撮像する撮像部と、
撮像により得られた粒子画像に基づいて、粒子形状に関する第１のパラメータについての第１特徴値と、粒子形状に関する第２のパラメータについての第２特徴値と、粒子形状に関する第３のパラメータについての第３特徴値と、を取得する特徴値取得手段と、
前記第１ないし第３特徴値を同一画面上に表示した比較画面を出力する出力手段と、
を備える粒子分析装置。
【請求項１５】
粒子画像を処理して粒子に関する情報を表示する機能をコンピュータに付与するコンピュータプログラムであって、
粒子径に関する第１、第２および第３のパラメータについての第１、第２および第３特徴値を前記粒子画像から取得するステップと、
前記第１ないし第３特徴値を同一画面上に表示した比較画面を出力するステップと、
を含むコンピュータプログラム。
【請求項１６】
粒子画像を処理して粒子に関する情報を表示する機能をコンピュータに付与するコンピュータプログラムであって、
粒子形状に関する第１、第２および第３のパラメータについての第１、第２および第３特徴値を前記粒子画像から取得するステップと、
前記第１ないし第３特徴値を同一画面上に表示した比較画面を出力するステップと、
を含むコンピュータプログラム。
【発明の詳細な説明】
【技術分野】
【０００１】
本発明は、粒子像を画像解析することによって、粒子の大きさや形状に関する情報を求める粒子分析装置および粒子像に基づいて粒子の大きさや形状に関する情報を表示する機能をコンピュータに付与するコンピュータプログラムに関する。
【背景技術】
【０００２】
従来、粒子懸濁液をシースフローセルに流し、該シースフローセルを流れる粒子懸濁液中の粒子を撮像し、撮像された粒子像を解析し、解析結果を表示する粒子分析装置が知られている（特許文献１、２参照）。特許文献１に記載の粒子分析装置では、粒子の特徴を示す２つのパラメータ（円相当径と円形度）による２次元スキャッタグラムが表示され、特許文献２に記載の粒子分析装置では、粒子の特徴を示す３つのパラメータ（円相当径、円形度、アスペクト比）による３次元スキャッタグラムが表示される。円相当径は、粒子径に関するパラメータであり、円形度およびアスペクト比は、粒子形状に関するパラメータである。
【先行技術文献】
【特許文献】
【０００３】
【特許文献１】特開平８−１３６４３９号公報
【特許文献２】特開平１０−３１８９０４号公報
【発明の概要】
【発明が解決しようとする課題】
【０００４】
粒子分析においては、粒子径に関する３つ以上のパラメータを比較することで、有益な情報が得られることがある。たとえば、粒子径に関する２つのパラメータを比較すると、２つの粒子は略同じ大きさであると判断されるような場合にも、これに、粒子径に関する３つ目のパラメータが加わると、２つの粒子の大きさや形状に顕著な差があったことが分かる場合がある。したがって、より的確に粒子分析を行うには、粒子径について３つ以上のパラメータを比較できるようにするのが望ましい。この点は、粒子形状のパラメータにおいても同様である。
【０００５】
しかしながら、上記特許文献１、２では、粒子径または粒子形状について、それぞれ３つ以上のパラメータを比較することはできなかった。
【０００６】
本発明は、以上の点に鑑みて為されたものであり、粒子径に関する３つ以上のパラメータ、または、粒子形状に関する３つ以上のパラメータの比較を容易に行うことができる粒子分析装置およびコンピュータプログラムを提供することを目的とする。
【課題を解決するための手段】
【０００７】
本発明の第１の態様は、粒子分析装置に関する。この態様に係る粒子分析装置は、撮像対象となる複数の粒子を含有する試料を通過させるフローセルと、前記フローセルを通過する前記試料を撮像する撮像部と、撮像により得られた粒子画像に基づいて、粒子径に関する第１のパラメータについての第１特徴値と、粒子径に関する第２のパラメータについての第２特徴値と、粒子径に関する第３のパラメータについての第３特徴値と、を取得する特徴値取得手段と、前記第１ないし第３特徴値を同一画面上に表示した比較画面を出力する出力手段とを備える。
【０００８】
本態様に係る粒子分析装置によれば、粒子径に関する３つのパラメータについての特徴値が同一画面上に表示されるため、撮像対象となった粒子について有益な情報が得られ得る。
【０００９】
本態様に係る粒子分析装置において、前記比較画面はレーダチャートを含む構成とされ得る。これにより、粒子の特徴が直感的に把握され易くなる。
【００１０】
本態様において、前記第１のパラメータは円相当径であり、前記第２のパラメータは長軸径であり、前記第３のパラメータは短軸径であるのが望ましい。こうすると、粒子の大きさの他、粒子の外形が把握し易くなる。
【００１１】
また、本態様に係る粒子分析装置において、前記撮像部は、前記粒子画像を複数回撮像し、前記特徴値取得手段は、得られた複数の粒子画像に基づいて前記第１ないし第３特徴値を取得するよう構成され得る。これにより、試料の特徴が、複数の粒子画像から得られる特徴値によって統計的に把握され得る。
【００１２】
この場合、前記特徴値取得手段は、前記複数の粒子画像それぞれについて前記第１ないし第３のパラメータについての特徴値を取得し、取得した前記第１ないし第３のパラメータについての特徴値をそれぞれ平均した平均値を、前記第１ないし第３特徴値として取得するよう構成され得る。
【００１３】
また、本態様に係る粒子分析装置において、前記撮像部は、前記粒子画像を複数回撮像し、前記特徴値取得手段は、得られた個々の粒子画像に基づいて前記第１ないし第３特徴値を取得するよう構成され得る。これにより、個々の粒子についての特徴値が比較可能となる。
【００１４】
この場合、前記出力手段は、前記複数の粒子を示す一覧から選択された前記粒子について前記比較画面を出力するよう構成され得る。これにより、操作者が所望する粒子の特徴を比較可能に表示させ得る。
【００１５】
また、本態様に係る粒子分析装置において、前記比較画面は、正規化された第１ないし第３特徴値を表示するよう構成され得る。これにより、各パラメータの特徴値が相対的な値として比較可能となる。
【００１６】
また、本態様に係る粒子分析装置において、前記比較画面は、第１試料について取得された第１ないし第３特徴値と、第２試料について取得された第１ないし第３特徴値と、を同時に表示するよう構成され得る。これにより、２つの試料の特徴が同時に比較可能となる。
【００１７】
また、本態様に係る粒子分析装置において、前記特徴値取得手段は、生成された前記粒子画像に基づいて、粒子の形状に関する第４のパラメータについての第４特徴値をさらに取得し、前記比較画面は、前記第１ないし第４特徴値を同一画面上に表示するよう構成され得る。これにより、粒子径に関する３つのパラメータの特徴値に加えて、同時に粒子形状に関する１つのパラメータの特徴値が比較可能となる。
【００１８】
この場合、前記特徴値取得手段は、生成された前記粒子画像に基づいて、粒子の形状に関する第５のパラメータについての第５特徴値と、粒子の形状に関する第６のパラメータについての第６特徴値と、をさらに取得し、前記比較画面は、前記第１ないし第６特徴値を同一画面上に表示するよう構成され得る。これにより、粒子径に関する３つのパラメータの特徴値に加えて、同時に粒子形状に関する３つのパラメータの特徴値が比較可能となる。
【００１９】
本態様において、前記第４のパラメータは円形度であり、前記第５のパラメータはアスペクト比であり、前記第６のパラメータは包絡度であるのが望ましい。こうすると、粒子の形状を的確に把握することができる。
【００２０】
また、本態様に係る粒子分析装置は、前記第１ないし第３のパラメータを設定するための設定手段をさらに備えるよう構成され得る。これにより、比較したいパラメータに応じて、比較画面が表示され得る。
【００２１】
本発明の第２の態様は、粒子分析装置に関する。この態様に係る粒子分析装置は、撮像対象となる複数の粒子を含有する試料を通過させるフローセルと、前記フローセルを通過する前記試料を撮像する撮像部と、撮像により得られた粒子画像に基づいて、粒子形状に関する第１のパラメータについての第１特徴値と、粒子形状に関する第２のパラメータについての第２特徴値と、粒子形状に関する第３のパラメータについての第３特徴値と、を取得する特徴値取得手段と、前記第１ないし第３特徴値を同一画面上に表示した比較画面を出力する出力手段とを備える。
【００２２】
本態様に係る粒子分析装置によれば、粒子形状に関する３つのパラメータについての特徴値が同一画面上に表示されるため、撮像対象となった粒子について有益な情報が得られ得る。
【００２３】
本発明の第３の態様は、粒子画像を処理して粒子に関する情報を表示する機能をコンピュータに付与するコンピュータプログラムに関する。この態様に係るコンピュータプログラムは、粒子径に関する第１、第２および第３のパラメータについての第１、第２および第３特徴値を前記粒子画像から取得するステップと、前記第１ないし第３特徴値を同一画面上に表示した比較画面を出力するステップとを含む。
【００２４】
本発明の第４の態様は、粒子画像を処理して粒子に関する情報を表示する機能をコンピュータに付与するコンピュータプログラムに関する。この態様に係るコンピュータプログラムは、粒子形状に関する第１、第２および第３のパラメータについての第１、第２および第３特徴値を前記粒子画像から取得するステップと、前記第１ないし第３特徴値を同一画面上に表示した比較画面を出力するステップとを含む。
【００２５】
本発明の第３および第４の態様に係るコンピュータプログラムにおいても、上記第１および第２の態様と同様の効果が奏される。
【発明の効果】
【００２６】
以上のとおり、本発明によれば、粒子径に関する３つ以上のパラメータ、または、粒子形状に関する３つ以上のパラメータの比較を容易に行うことができる粒子分析装置およびコンピュータプログラムを提供することができる。
【００２７】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２８】
【図１】実施形態に係る粒子分析装置の構成を示す図である。
【図２】実施形態に係る情報処理装置の表示部に表示されるレコード一覧を示す画面の例示図である。
【図３】実施形態に係る情報処理装置の表示部に表示される解析結果を示す画面の例示図である。
【図４】実施形態に係る情報処理装置の表示部に表示される解析結果を示す画面の例示図である。
【図５】実施形態に係る情報処理装置の表示部に表示される表示パラメータ設定画面を示す画面の例示図である。
【図６】実施形態に係る試料名とパラメータ値を表す図である。
【図７】実施形態に係るレーダチャートの例示図である。
【図８】実施形態に係るレーダチャートの例示図である。
【図９】実施形態に係るレーダチャートの例示図である。
【図１０】実施形態に係るレーダチャートの例示図である。
【図１１】実施形態に係るレーダチャートの例示図である。
【図１２】実施形態に係る情報処理装置の表示部に表示される粒子画像一覧を示す画面の例示図である。
【図１３】実施形態に係る情報処理装置の表示部に表示される個別粒子表示画面を示す画面の例示図である。
【図１４】実施形態に係る粒子名とパラメータ値を表す図である。
【図１５】実施形態に係るレーダチャートの例示図である。
【図１６】実施形態に係るレーダチャートの例示図である。
【図１７】実施形態に係るレーダチャートの例示図である。
【図１８】実施形態に係るレーダチャートの例示図である。
【図１９】実施形態に係るレーダチャートの例示図である。
【図２０】実施形態に係る情報処理装置の構成を示す図である。
【図２１】実施形態に係る粒子撮像処理および解析結果１の表示処理のフローチャートを示す図である。
【図２２】実施形態に係る解析結果２の表示処理および個別粒子の解析表示処理のフローチャートを示す図である。
【図２３】実施形態に係るレーダチャートの変更例を示す図である。
【発明を実施するための形態】
【００２９】
以下、本実施の形態に係る粒子分析装置について、図面を参照して説明する。
【００３０】
図１は、本実施の形態に係る粒子分析装置の構成を示す図である。粒子分析装置は、測定装置１と情報処理装置２を備える。測定装置１は、試料をフローセルに流し、フローセルに流れる試料中の粒子を撮像し、情報処理装置２は、撮像された粒子像を解析し、解析結果を表示する。
【００３１】
まず試料は、ダイヤフラムポンプ等の吸引手段（図示せず）により、吸引ピペット１１から吸引され、サンプルフィルター１２を通り、フローセル１５の上部の試料チャージングライン１３へ引き込まれる。試料がサンプルフィルター１２を通されると、試料中の粗大な粒子やごみが取り除かれる。これにより、流路の狭いフローセル１５が詰まらないようになる。また、サンプルフィルター１２は、粗大な擬集塊をほぐす効果も有している。
【００３２】
試料チャージングライン１３に引き込まれた試料は、シースシリンジ１４が動作されることにより、フローセル１５に導かれる。フローセル１５に導かれた試料は、サンプルノズル１５ａの下方先端から少しずつ押し出される。これと同時に、シース液ボトル１６からシース液チャンバー１７を介して、シース液がフローセル１５に送り込まれる。フローセル１５内に導かれた試料は、シース液で取り囲まれ、扁平な試料流に形成される。
【００３３】
このように扁平に絞られた試料流に対して、ストロボ１８からパルス光が６０分の１秒間隔で照射され、試料が含有している粒子の静止画像が、対物レンズ１９を介して、約２μ秒ごとにカメラ２０によって撮像される。カメラ２０から出力される画像信号は、情報処理装置２に入力される。
【００３４】
情報処理装置２は、画像信号の受信と並行して、入力された画像信号に基づき個々の粒子画像を取得する。また、情報処理装置２は、取得した個々の粒子画像に基づき、粒子の特徴を示すパラメータ値を取得して、試料に関する解析結果を表示部に表示する。なお、情報処理装置２の構成については、追って図２０を参照して説明する。
【００３５】
ここで、粒子画像に基づいて情報処理装置２によって取得される粒子の特徴を示すパラメータについて説明する。
【００３６】
情報処理装置２により取得される粒子の特徴を示すパラメータは、粒子径を定量化したパラメータと、粒子形状を定量化したパラメータに分類される。粒子径を定量化したパラメータには、円相当径、最大長、最大長垂直長、長軸径、短軸径、Feret径（水平）、Feret径（垂直）、周長円相当径、粒子周囲長、粒子面積、包絡周囲長、包絡面積、面積円相当径が含まれる。粒子形状を定量化したパラメータには、円形度、アスペクト比、水平外接矩形縦横比、平均輝度値、輝度分散値、包絡度（周囲長）、包絡度（面積）、円形度（面積）が含まれる。各パラメータの内容は、以下のとおりである。
【００３７】
【表１】
2011075340.tif 000003
【００３８】
【表２】
2011075340.tif 000004
【００３９】
図２は、情報処理装置２の表示部に表示されるレコード一覧を示す画面の例示図である。同図の画面は、レコード一覧タブ１１０が押下された場合に表示される。
【００４０】
図示の如く、この場合の表示部には、メニュー１００と、レコード一覧１１１と、選択解除ボタン１１２が含まれている。メニュー１００は、レコード一覧タブ１１０と、解析結果タブ１２０、１３０と、粒子画像一覧タブ１４０を含み、各タブが押下されるとタブに対応した画面に切り替えられる。
【００４１】
レコード一覧１１１には、測定装置１によって測定された試料についてのレコードが表示される。ここで、レコードとは、所定の測定条件下で測定された測定結果のことである。例えば、測定が開始されてからユーザが測定終了を指示することにより測定が終了される場合、この測定期間内に得られた測定結果が１件のレコードとして作成される。また、測定が開始されてから測定された粒子個数が所定数に達すると測定が終了するよう設定されている場合、この測定期間内に得られた測定結果が１件のレコードとして作成される。
【００４２】
図示の如く、レコードの項目には、レコードナンバーと、測定日時と、試料番号と、パラメータ（円相当径、円形度）の統計値（平均、ＳＤ、ＣＶなど）が含まれている。レコードナンバーの項目は、レコードを識別するための固有の番号であり、測定日時の項目は、レコードに関する測定が終了した日時を示し、試料番号の項目は、試料を識別するための番号である。なお、試料番号には試料名が対応づけられている。
【００４３】
各統計値（平均、ＳＤ、ＣＶなど）の項目は、それぞれ、１件のレコードにおける全ての粒子のパラメータ値が統計されたものである。例えば、あるレコードにおける円相当径の平均の項目は、このレコードの測定における全ての粒子の円相当径の値が平均されたものを表している。なお、ＳＤの項目は、パラメータ値の標準偏差を表しており、ＣＶの項目は、平均とＳＤにより算出される変動係数（ばらつきの度合い）を示している。
【００４４】
また、レコード一覧１１１中のセルが押下されると、図示の如く、そのセルを含むレコードが反転表示されて選択状態となり、選択解除ボタン１１２が押下されると、全てのレコードの選択が解除される。なお、レコード一覧１１１は、レコードを複数選択することもできるように構成されている。
【００４５】
なお、レコード一覧１１１の右端と下端には、上下左右に表示領域を変更するスクロールバーが設置されている。縦方向のスクロールバーにより、全てのレコードが参照可能となり、横方向のスクロールバーにより、全ての項目が表示可能となる。
【００４６】
図３は、情報処理装置２の表示部に表示される解析結果１を示す画面の例示図である。同図の画面は、図２のレコード一覧１１１で１件のレコードが選択された状態で、解析結果タブ１２０が押下された場合に表示される。
【００４７】
図示の如く、この場合の表示部には、図２と同様のメニュー１００に加えて、レコード情報リスト１２１と、粒子径ヒストグラム１２２と、粒子径パラメータ選択ボックス１２３と、粒子形状ヒストグラム１２４と、粒子形状パラメータ選択ボックス１２５と、スキャッタグラム１２６が含まれている。
【００４８】
レコード情報リスト１２１には、図２のレコード一覧１１１で選択された１件のレコードに関する情報が表示される。
【００４９】
粒子径ヒストグラム１２２には、レコード情報リスト１２１に表示されているレコードにおいて測定された個々の粒子の粒子径パラメータの分布が、ヒストグラムとして表示される。粒子径ヒストグラム１２２で表示される粒子径パラメータは、粒子径パラメータ選択ボックス１２３が押下されることで選択可能な粒子径パラメータの一覧から選択される。なお、粒子径ヒストグラム１２２の横軸は、表示されている粒子径パラメータに応じたレンジに設定され、縦軸の左側と右側は、それぞれ、頻度とその累積を表している。
【００５０】
粒子形状ヒストグラム１２４には、レコード情報リスト１２１に表示されているレコードにおいて測定された個々の粒子の粒子形状パラメータの分布が、ヒストグラムとして表示される。粒子形状ヒストグラム１２４で表示される粒子形状パラメータは、粒子形状パラメータ選択ボックス１２５が押下されることで選択可能な粒子形状パラメータの一覧から選択される。なお、粒子形状ヒストグラム１２３の縦軸は、表示されている粒子形状パラメータに応じたレンジに設定され、横軸の下側と上側は、それぞれ、頻度とその累積を表している。
【００５１】
このように、粒子径ヒストグラム１２２と粒子形状ヒストグラム１２４が表示されると、レコード情報リスト１２１に表示されているレコードにおいて測定された個々の粒子が、それぞれ、どのような粒子径パラメータ値と粒子形状パラメータ値を有しているかが分かる。
【００５２】
スキャッタグラム１２６は、粒子径ヒストグラム１２２と粒子形状ヒストグラム１２４の内容を合わせて、２次元的または３次元的に表現するグラフである。なお、スキャッタグラム１２６の横軸と縦軸は、それぞれ、粒子径ヒストグラム１２２の横軸と粒子形状ヒストグラム１２４の縦軸と同じである。
【００５３】
このように、スキャッタグラム１２６が表示されると、レコード情報リスト１２１に表示されているレコードで測定された個々の粒子が、どのような粒子径パラメータ値と粒子形状パラメータ値に分布しているかが分かる。
【００５４】
図４は、情報処理装置２の表示部に表示される解析結果２を示す画面の例示図である。同図の画面は、図２のレコード一覧１１１で１件以上のレコードが選択された状態で、解析結果タブ１３０が押下された場合に表示される。
【００５５】
図示の如く、この場合の表示部には、図２と同様のメニュー１００に加えて、パラメータ値リスト１３１と、チャート１３２と、表示パラメータ設定ボタン１３３が含まれている。
【００５６】
パラメータ値リスト１３１には、図２のレコード一覧１１１で選択された１件以上のレコードの試料についてのパラメータの統計値が表示される。横方向の項目は、レコード一覧１１１で選択されたレコードに対応した試料名を表し、縦方向の項目は、パラメータを表している。パラメータは、同図に示す６つの項目（円相当径、長軸径、短軸径、円形度、アスペクト比、包絡度（面積））にデフォルト設定されている。後述の如く、表示パラメータ設定ボタン１３３を押下して、表示パラメータ設定画面を表示することにより、パラメータを変更することができる。なお、パラメータ値リスト１３１の右端と下端には、上下左右に表示領域を変更するスクロールバーが設置されている。表示内容が、パラメータ値リスト１３１の表示領域を超えているとき、これらスクロールバーにより、全てのレコードの試料名とパラメータが表示可能となる。
【００５７】
チャート１３２には、パラメータ値リスト１３１に表示されたパラメータ値に基づくレーダチャートが表示される。図４の例示図には、パラメータ値リスト１３１に表示されている３つの試料と、これら試料の６つのパラメータの統計値に基づいて、粒子径に関する３つのパラメータの統計値および粒子形状に関する３つのパラメータの統計値を同一画面上に表示したレーダチャートが表示されている。このようにチャート１３２が表示されると、複数の試料の複数のパラメータが同時に比較可能となる。
【００５８】
表示パラメータ設定ボタン１３３は、パラメータ値リスト１３１およびチャート１３２に表示されるパラメータ項目等を設定するためのボタンである。表示パラメータ設定ボタン１３３が押下されると、図５に示す表示パラメータ設定画面が表示される。
【００５９】
図５を参照して、表示パラメータ設定画面２００には、設定領域２０１〜２０５と、ＯＫボタン２０６が含まれている。
【００６０】
設定領域２０１では、図４のパラメータ値リスト１３１とチャート１３２で表示される粒子径パラメータの項目が選択される。設定領域２０１内の粒子径パラメータの項目が押下されると、図示の如く、チェックボックスにチェックが入り、この項目が選択状態となる。設定領域２０２では、図４のパラメータ値リスト１３１とチャート１３２で表示される粒子形状パラメータ項目が選択される。設定領域２０２内の粒子形状パラメータの項目が押下されると、図示の如く、チェックボックスにチェックが入り、この項目が選択状態となる。
【００６１】
設定領域２０３では、図４のパラメータ値リスト１３１とチャート１３２で表示されるパラメータの統計値の種類が選択される。選択可能な統計値の種類には、図２で示したパラメータの統計値の種類（平均、ＳＤ、ＣＶなど）が含まれている。
【００６２】
設定領域２０４では、図４のパラメータ値リスト１３１とチャート１３２で表示されるパラメータ値を正規化するときの基準パラメータが設定される。たとえば、図示の如く、正規化基準項目として長軸径が設定されると、長軸径の値が１となるように他のパラメータ値が設定され、この値が図４で表示されるようになる。なお、平均輝度値は、０〜１．０の範囲で正規化される。たとえば、平均輝度値が予め設定された固有の閾値の範囲内にある場合は、その値に応じて、０〜１．０の範囲で正規化され、平均輝度値が前記閾値を超える場合は、一律“１．０”とされる。また、正規化基準項目が設定されない場合、各統計値として実測値が用いられる。
【００６３】
設定領域２０５では、図４のチャート１３２で表示される軸の表示範囲が設定される。同図のように表示範囲が０〜１に設定されると、レーダチャートの軸は、図４のように中心が０で最も外側が１となる。
【００６４】
ＯＫボタン２０６が押下されると、表示パラメータ設定画面２００内で設定された項目が、図４の解析結果２の画面に反映されて、図４のパラメータ値リスト１３１とチャート１３２の表示が更新される。
【００６５】
ここで、図４のチャート１３２に表示される種々のレーダチャートを図７〜１１に例示する。
【００６６】
図６は、レーダチャート生成時に参照されるレコードの試料名と、これらレコードの試料名についてのパラメータ値を表している。同図（ａ）のパラメータ値は、個々の粒子の実測値の平均を正規化したものであり、ここでは長軸径で正規化されている。なお、平均輝度値は、上述したように、０〜１．０の範囲で正規化される。同図（ｂ）のパラメータ値は、ＣＶ（ばらつきの度合い）である。同図（ｃ）のパラメータ値は、個々の粒子の実測値の平均である。なお、同図（ｃ）のFeret径は、便宜上、Feret径（水平）の平均と、Feret径（垂直）の平均のうち、大きい方の値が示されている。
【００６７】
図７（ａ）、（ｂ）は、図６（ａ）で示した試料とパラメータの中から３つの試料と６つのパラメータが選択されたときのレーダチャートである。６つのパラメータは、デフォルト設定されたものである。なお、“LATEX”は、標準サンプル粒子と呼ばれる試料であり、球に近い形状の粒子で構成されている。
【００６８】
同図（ａ）に示す如く、“LATEX 4204A”、“Tonar”、“Almina”のレーダチャートは、この順に、正六角形に近い形状となっている。これにより、“LATEX 4204A”、“Tonar”、“Almina”は、この順に、球に近い形状の粒子で構成されていることがわかる。
【００６９】
同図（ｂ）に示す如く、“LATEX 4203A”、“LATEX 4204A”、“LATEX 4202A”のレーダチャートは、この順に、正六角形に近い形状となっている。これにより、“LATEX 4203A”、“LATEX 4204A”、“LATEX 4202A”は、この順に、球に近い形状の粒子で構成されていることがわかる。なお、同図（ｂ）の軸の表示範囲は、０．６〜１の範囲に設定されている。この設定は、図５の表示パラメータ設定画面の設定領域２０５の表示範囲により行われる。
【００７０】
図８（ａ）、（ｂ）は、図６（ｂ）から３つの試料と６つのパラメータが選択されたときのレーダチャートである。６つのパラメータは、デフォルト設定されたものである。
【００７１】
同図（ａ）のレーダチャートにより、“LATEX 4204A”、“LATEX 4203A”、“LATEX 4202A”は、この順に、ばらつき度合いが小さいことが分かる。同図（ｂ）のレーダチャートにより、“LATEX 4204A”、“Tonar”、“Almina”は、この順に、ばらつき度合いが小さいことが分かる。また、試料によってばらつき度合いが大きく異なることが分かる。
【００７２】
図９（ａ）〜（ｃ）は、図６（ｃ）から３つの試料と、５、３、４つのパラメータが選択されたときのレーダチャートである。パラメータは、図５に示す表示パラメータ設定画面を用いて、デフォルト設定の状態から変更されている。この場合も、図９（ａ）〜（ｃ）のレーダチャートが、それぞれ、正五角形、正三角形、正方形に近いかが判断されることにより、試料の粒子が球に近いかどうかが分かる。また、これらのレーダチャートのパラメータ値は実測値の平均であるため、特定のパラメータについて試料間のパラメータ値の差も確認することができる。
【００７３】
なお、同図（ａ）〜（ｃ）のレーダチャートで表示されているパラメータは、全て粒子径パラメータである。このように粒子径パラメータのみが選択される場合、円相当径、長軸径、短軸径の３つの粒子径パラメータが含められることが望ましい。これら３つのパラメータを参照すれば、粒子の大きさの他、粒子の外形が把握し易くなる。
【００７４】
図１０（ａ）〜（ｃ）は、図６（ａ）から３つの試料と３つのパラメータが選択されたときのレーダチャートである。パラメータは、図５に示す表示パラメータ設定画面を用いて、デフォルト設定の状態から変更されている。この場合も、各レーダチャートが、正三角形に近いかが判断されることにより、試料の粒子が球に近いかどうかが分かる。
【００７５】
また、同図（ｂ）は、同図（ａ）のパラメータの表示範囲が０．５〜１に設定された場合のレーダチャートである。このため、同図（ａ）よりも同図（ｂ）において、レーダチャートの形状が容易に把握される。また、同図（ｃ）では、３つの試料のレーダチャートの形状の違いが判断され難いため、パラメータの表示範囲が０．８〜１に設定されている。これにより、“LATEX 4203A”の粒子が、最も球に近い形状であることが容易に分かる。
【００７６】
なお、同図（ａ）〜（ｃ）のレーダチャートで表示されているパラメータは、全て粒子形状パラメータである。このように粒子形状パラメータのみが選択される場合、円形度、アスペクト比、包絡度の３つの粒子径パラメータが含められることが望ましい。これら３つのパラメータを参照すれば、粒子の形状を的確に把握することができる。
【００７７】
図１１（ａ）〜（ｄ）は、図６（ａ）から３つの試料と４〜５つのパラメータが選択されたときのレーダチャートである。パラメータは、図５に示す表示パラメータ設定画面を用いて、デフォルト設定の状態から変更されている。この場合も、各レーダチャートが、正方形または正五角形に近いかが判断されることにより、試料の粒子が球に近いかどうかが分かる。
【００７８】
また、同図（ｂ）は、同図（ａ）のパラメータの表示範囲が０．５〜１に設定された場合のレーダチャートであり、同図（ｄ）は、同図（ｃ）のパラメータの表示範囲が０．５〜１に設定された場合のレーダチャートである。このため、同図（ａ）よりも同図（ｂ）、同図（ｃ）よりも同図（ｄ）において、レーダチャートの形状が容易に把握される。
【００７９】
図１２は、情報処理装置２の表示部に表示される粒子画像一覧を示す画面の例示図である。同図の画面は、図２のレコード一覧１１１で２件以上のレコードが選択された状態で、粒子画像一覧タブ１４０が押下された場合に表示される。
【００８０】
図示の如く、この場合の表示部には、図２と同様のメニュー１００に加えて、レコード情報リスト１４１、１４３と、粒子画像一覧１４２、１４４が含まれている。
【００８１】
レコード情報リスト１４１、１４３には、図２のレコード一覧１１１で選択されたレコードについての情報が表示される。
【００８２】
粒子画像一覧１４２、１４４には、それぞれ、レコード一覧１４１、１４３で表示されているレコードにおいて測定された全ての粒子の画像が表示される。なお、粒子画像一覧１４２、１４４の右端には、上下に表示領域を変更するスクロールバーが設置されている。これにより、粒子画像一覧１４２、１４４の全ての粒子画像が表示可能となる。
【００８３】
なお、図１２では２件のレコードが表示されている場合を例示しているが、図２のレコード一覧１１１で１件のレコードが選択された場合は、レコード情報リスト１４１と粒子画像一覧１４２のみにレコード内容が表示される。また、図２のレコード一覧１１１で３件以上のレコードが選択された場合は、選択されたレコード数に応じて、レコード情報リストと粒子画像一覧が画面上に配置される。この場合、各レコードに対応するレコード情報リストと粒子画像一覧の表示領域が、画面内で適宜調整される。
【００８４】
粒子画像一覧１４２、１４４の粒子画像が選択されると、粒子選択範囲１４５が設定される。この粒子選択範囲１４５に対してサブメニューを表示させる動作が行われると、選択表示メニュー１４６が表示される。なお、粒子選択範囲１４５は、図示のように連続する粒子画像について設定されるだけでなく、粒子画像一覧１４２、１４４に表示されている任意の粒子画像について任意の個数が選択可能である。
【００８５】
選択表示メニュー１４６には、“個別粒子の解析表示”の項目が設けられており、この項目が押下されると、図１３に示す個別粒子表示画面が表示される。
【００８６】
図１３を参照して、個別粒子表示画面１５０には、パラメータ値リスト１５１と、粒子画像リスト１５２と、チャート１５３と、表示パラメータ設定ボタン１５４が含まれている。
【００８７】
パラメータ値リスト１５１には、図１２の粒子画像一覧において粒子選択範囲１４５によって選択されていた粒子についての情報が表示される。横方向の項目は、粒子選択範囲１４５で選択された粒子の試料名を表し、縦方向の項目は、この粒子についてのパラメータを表している。６つのパラメータは、デフォルト設定されたものである。パラメータは、表示パラメータ設定ボタン１５４を押下して、後述する表示パラメータ設定画面を表示することにより、変更可能である。
【００８８】
粒子画像リスト１５２には、パラメータ値リスト１５１に表示されている粒子の画像が表示される。また、粒子画像に併せて、試料名に通し番号が付された粒子名が表示されている。
【００８９】
チャート１５３には、パラメータ値リスト１５１に表示されたパラメータ値に基づくレーダチャートが表示される。図１３の例示図には、パラメータ値リスト１５１に表示されている２つの粒子と、これら粒子の６つのパラメータ値に基づいて、粒子径に関する３つのパラメータ値および粒子形状に関する３つのパラメータ値を同一画面上に表示したレーダチャートが表示されている。このようにチャート１５３が表示されると、複数の粒子の複数のパラメータが同時に比較可能となる。
【００９０】
表示パラメータ設定ボタン１５４は、パラメータ値リスト１５１およびチャート１５３に表示されるパラメータ項目等を設定するためのボタンである。表示パラメータ設定ボタン１５４が押下されると、図５に示す表示パラメータ設定画面２００と同様の設定画面が表示される。なお、この場合の表示パラメータ設定画面には、設定領域２０３に相当する領域は省略されている。
【００９１】
この設定画面でパラメータが変更されると、この変更が図１３の個別粒子表示画面１５０に反映されて、図１３のパラメータ値リスト１５１とチャート１５３の表示が更新される。
【００９２】
ここで、図１３のチャート１５１に表示される種々のレーダチャートを図１５〜１９に例示する。
【００９３】
図１４は、レーダチャート生成時に参照されるレコードの粒子名と、これら粒子についてのパラメータ値を表している。同図（ａ）のパラメータ値は個々の粒子の実測値を正規化したものであり、ここでは、長軸径で正規化されている。なお、平均輝度値は、上述したように、０〜１．０の範囲で正規化される。同図（ｂ）のパラメータ値は個々の粒子の実測値である。なお、同図（ｃ）のFeret径は、便宜上、Feret径（水平）とFeret径（垂直）の値のうち、大きい方の値が示されている。
【００９４】
図１５（ａ）は、図１４（ａ）から同一試料の２つの粒子と６つのパラメータが選択されたときのレーダチャートである。６つのパラメータは、デフォルト設定されたものである。この場合、図１５（ａ）のレーダチャートが正六角形に近いかが判断されることにより、粒子画像が円に近いかどうかが分かる。
【００９５】
図１５（ｂ）は、図１４（ｂ）から同一試料の２つの粒子と３つのパラメータが選択されたときのレーダチャートである。パラメータは、表示パラメータ設定画面を用いて、デフォルト設定の状態から変更されている。この場合も、図１５（ｂ）のレーダチャートが正三角形に近いかが判断されることにより、粒子画像が円に近いかどうかが分かる。なお、同図（ｂ）の軸の表示範囲は、10〜20の範囲に設定されている。
【００９６】
図１５（ｃ）は、図１４（ａ）から同一試料の２つの粒子と３つのパラメータが選択されたときのレーダチャートである。パラメータは、表示パラメータ設定画面を用いて、デフォルト設定の状態から変更されている。この場合も、図１５（ｃ）のレーダチャートが正五角形に近いかが判断されることにより、粒子画像が円に近いかどうかが分かる。
【００９７】
図１６、１７においても、図１５と同様に、レーダチャートの形状が判断されることにより、粒子画像が円に近いかどうかが分かる。また、図１８、１９は、異なる試料の２つの粒子が選択されたときのレーダチャートである。この場合も、レーダチャートの形状が判断されることにより、粒子画像が円に近いかどうかが分かる。
【００９８】
図２０は、情報処理装置２の構成を示す図である。
【００９９】
情報処理装置２は、パーソナルコンピュータからなっており、本体３００と、入力部３１０と、表示部３２０から構成されている。本体３００は、ＣＰＵ３０１と、ＲＯＭ３０２と、ＲＡＭ３０３と、ハードディスク３０４と、読み出し装置３０５と、入出力インターフェース３０６と、画像出力インターフェース３０７と、通信インターフェース３０８を有する。
【０１００】
ＣＰＵ３０１は、ＲＯＭ３０２に記憶されているコンピュータプログラムおよびＲＡＭ３０３にロードされたコンピュータプログラムを実行する。ＲＡＭ３０３は、ＲＯＭ３０２およびハードディスク３０４に記録されているコンピュータプログラムの読み出しに用いられる。また、ＲＡＭ３０３は、これらのコンピュータプログラムを実行するときに、ＣＰＵ３０１の作業領域としても利用される。
【０１０１】
ハードディスク３０４には、オペレーティングシステムおよびアプリケーションプログラムなど、ＣＰＵ３０１に実行させるための種々のコンピュータプログラムおよびコンピュータプログラムの実行に用いるデータがインストールされている。すなわち、ハードディスク３０４には、カメラ２０から出力された画像信号を受信し、画像信号に基づいて粒子ごとの画像を作成し、粒子画像に基づいて試料の解析を行うためのプログラムや、解析結果を表示部３２０上に表示を行う表示プログラムがインストールされている。これらプログラムがインストールされることで、上記図２〜図１９に示した解析処理や表示処理が行われる。
【０１０２】
読出装置３０５は、ＣＤドライブまたはＤＶＤドライブ等によって構成されており、記録媒体などの外部記憶に記録されたコンピュータプログラムおよびデータを読み出すことができる。これにより、情報処理装置２で実行されるプログラムは、記録媒体などの外部記憶を介して更新可能となっている。
【０１０３】
入出力インターフェース３０６には、マウスやキーボードからなる入力部３１０が接続されており、ユーザが入力部３１０を使用することにより、情報処理装置２に対する指示が行われる。画像出力インターフェース３０７は、ディスプレイ等で構成された表示部３２０に接続されており、画像データに応じた映像信号を、表示部３２０に出力する。表示部３２０は、入力された映像信号をもとに、画像を表示する。また、通信インターフェース３０８により、カメラ２０から出力された画像信号の受信が可能となる。
【０１０４】
図２１（ａ）は、情報処理装置２内で行われる粒子撮像処理を示すフローチャートである。
【０１０５】
カメラ２０で粒子画像が撮像されると、カメラ２０から出力される画像信号は、情報処理装置２により通信インターフェース３０８を介して受信される（Ｓ１）。受信された画像信号は、所定の画像加工が施された後、個々の粒子ごとに切り出され、粒子ごとに粒子画像が生成される。生成された粒子画像は、ハードディスク３０４に格納される（Ｓ２）。粒子画像に基づき、上述したような粒子径と粒子形状についての全てのパラメータ値が算出される（Ｓ３）。各パラメータは、粒子画像に対応づけてハードディスク３０４に格納される。続いて、各粒子の円相当径と円形度の実測値に基づき、円相当径と円形度の統計値（平均、ＳＤ、ＣＶなど）が算出され、ハードディスク３０４に格納される（Ｓ４）。これにより、粒子撮像処理が終了する。
【０１０６】
しかる後、図２に示すレコード一覧画面が表示されると、一覧中に、今回測定した試料に関するレコード情報が追加され、このレコード情報に、Ｓ４で取得された統計値（平均、ＳＤ、ＣＶなど）が含められる。
【０１０７】
図２１（ｂ）は、解析結果１の表示処理を示すフローチャートである。
【０１０８】
この処理は、図２のレコード一覧１１１で１件のレコードが選択された状態で、解析結果タブ１２０が押下された場合に実行される。
【０１０９】
まず、図２のレコード一覧１１１で選択されたレコードについて、粒子径と粒子形状に関する全てのパラメータ値がハードディスク３０４から取得される（Ｓ１１）。
次に、取得されたパラメータ値に基づいて、解析結果１の初期画面が生成され、表示される（Ｓ１２）。ここでは、図３のレコード情報リスト１２１に、図２のレコード一覧１１１で選択されたレコード情報が表示される。また、粒子径パラメータ選択ボックス１２３と粒子形状パラメータ選択ボックス１２５にデフォルト設定されたパラメータ項目（円相当径、円形度）に基づき、粒子径ヒストグラム１２２と、粒子形状ヒストグラム１２４と、スキャッタグラム１２６が生成され、図３の対応する領域に表示される。
【０１１０】
こうして、解析結果１の初期画面が表示されると、次に、粒子径パラメータ選択ボックス１２３と粒子形状パラメータ選択ボックス１２５のパラメータ項目が変更されたかが判別される（Ｓ１３）。ここで、何れかのパラメータ項目が変更されると（Ｓ１３：ＹＥＳ）、変更後のパラメータ項目に基づき、粒子径ヒストグラム１２２と、粒子形状ヒストグラム１２４と、スキャッタグラム１２６が生成され、図３の対応する領域に表示される（Ｓ１４）。その後、Ｓ１３に戻り、再度、パラメータ項目が変更されたかが判別される。かかる判別の間に、図３のメニュー１００を介して、解析結果タブ１２０以外のタブが選択されると、解析結果１の表示処理が終了する。
【０１１１】
図２２（ａ）は、解析結果２の表示処理を示すフローチャートである。
【０１１２】
この処理は、図２のレコード一覧１１１で１件以上のレコードが選択された状態で、解析結果タブ１３０が押下された場合に実行される。
【０１１３】
まず、図２のレコード一覧１１１で選択されたレコードについて、粒子径と粒子形状に関する全てのパラメータ値がハードディスク３０４から取得される（Ｓ２１）。次に、取得されたパラメータ値に基づいて、解析結果１の初期画面が生成され、表示される（Ｓ２２）。ここでは、図５に示す設定項目のデフォルト値に基づいて、各パラメータの値が求められる。そして、デフォルト設定されたパラメータと、求めたパラメータの値に基づいて、図４のパラメータ値リスト１３１と、チャート１３２が表示される。解析結果１の初期画面は、たとえば図４のようになる。
【０１１４】
こうして、解析結果２の初期画面が表示されると、次に、図５に示す表示パラメータ設定画面をもとに、パラメータ項目（設定領域２０１、２０２）、統計項目（設定領域２０３）、正規化基準項目（設定領域２０４）または表示範囲（設定領域２０５）が変更されたかが判別される（Ｓ２３）。ここで、パラメータ項目、統計項目、正規化基準項目または表示範囲の何れかが変更されると（Ｓ２３：ＹＥＳ）、変更後の内容に基づき、パラメータ値リスト１３１とチャート１３２が再構成され、図４の対応する領域に表示される（Ｓ２４）。その後、Ｓ２３に戻り、再度、パラメータ項目、統計項目、正規化基準項目または表示範囲の何れかが変更されたかが判別される。かかる判別の間に、図３のメニュー１００を介して、解析結果タブ１３０以外のタブが選択されると、解析結果２の表示処理が終了する。
【０１１５】
図２２（ｂ）は、個別粒子の解析表示処理を示すフローチャートである。
【０１１６】
この処理は、図１２の粒子画像一覧１４２、１４４上で設定された粒子選択範囲１４５に基づく選択表示メニュー１４６の“個別粒子の解析表示”が押下された場合に実行される。なお、ここでは、図１２に示す粒子画像一覧画面が表示される際に、既に、当該一覧画面に表示されるべきレコードについて、粒子径と粒子形状に関する全てのパラメータ値がハードディスク３０４から取得されている。
【０１１７】
まず、図１２の粒子画像一覧１４２、１４４上で設定された粒子選択範囲１４５に含まれる粒子の粒子径と粒子形状に関する全てのパラメータ値が取得される（Ｓ３１）。次に、取得されたパラメータ値に基づいて、“個別粒子の解析表示”の初期画面が生成され、表示される（Ｓ３２）。ここでは、図５に示す設定項目のデフォルト値に基づいて、各パラメータの値が求められる。そして、デフォルト設定されたパラメータと、求めたパラメータの値に基づいて、図４のパラメータ値リスト１５１と、チャート１５３が表示される。“個別粒子の解析表示”の初期画面は、たとえば図１３のようになる。
【０１１８】
こうして、“個別粒子の解析表示”の初期画面が表示されると、次に、図１３の表示パラメータ設定ボタン１５４が押下されて、設定項目が変更されたかが判別される（Ｓ３３）。上記の如く、表示パラメータ設定ボタン１５４が押下されると、図５に示す表示パラメータ設定画面から設定領域２０３が削除された画面が表示され、設定項目の変更が可能となる。この画面が操作され、パラメータ項目（設定領域２０１、２０２）、正規化基準項目（設定領域２０４）または表示範囲（設定領域２０５）の何れかが変更されると（Ｓ３３：ＹＥＳ）、変更後の内容に基づき、パラメータ値リスト１５１とチャート１５３が再構成され、図１３の対応する領域に表示される（Ｓ３４）。その後、Ｓ３３に戻り、再度、パラメータ項目、正規化基準項目または表示範囲の何れかが変更されたかが判別される。かかる判別の間に、“個別粒子の解析表示”の終了操作がなされると、“個別粒子の解析表示”の表示処理が終了する。
【０１１９】
図２１、２２の処理は、図２０のハードディスク３０４にインストールされたプログラムに従って、ＣＰＵ３０１により行われる。このプログラムの処理により、図２〜図１９にて説明した解析および表示が行われる。
【０１２０】
以上、本実施の形態によれば、図４のチャート１３２には、１つの試料について、任意の粒子径パラメータと任意の粒子形状パラメータが比較可能となるレーダチャートが表示される。これにより、１つの試料の特徴が、複数のパラメータに基づいて、視覚的に把握され得る。
【０１２１】
また、この場合に、複数の試料のレーダチャートを併せて表示できるため、各試料の特徴が、視覚的に比較され得る。
【０１２２】
また、本実施の形態によれば、図１３のチャート１５３には、１つの粒子について、任意の粒子径パラメータと任意の粒子形状パラメータが比較可能となるレーダチャートが表示される。これにより、１つの粒子の特徴が、複数のパラメータに基づいて、視覚的に把握され得る。
【０１２３】
また、この場合に、複数の粒子のレーダチャートを併せて表示できるため、各粒子の特徴が、視覚的に比較され得る。
【０１２４】
以上、本発明の実施形態ついて説明したが、本発明は、上記実施形態に制限されるものではなく、また、本発明の実施形態も上記以外に種々の変更が可能である。
【０１２５】
たとえば、上記実施の形態では、図４のチャート１３２と図１３のチャート１５３には、レーダチャートが表示されたが、複数の試料または粒子について、複数のパラメータ値が比較可能であれば、レーダチャート以外でのチャートでも良い。
【０１２６】
図２３は、レーダチャートに替わるチャートを示す図である。
【０１２７】
同図（ａ）、（ｂ）は、３つの試料と６つのパラメータが選択されたときの折れ線グラフと棒グラフである。このようなチャートが表示されれば、レーダチャートと同様、複数の試料について、複数のパラメータが比較可能となる。また、同図（ａ）、（ｂ）のチャートは、複数の粒子の複数のパラメータについても表示可能である。この場合も、複数の粒子について、複数のパラメータが比較可能となる。
【０１２８】
また、上記実施の形態では、図１２、１３に示したように、チャート１５３に個々の粒子についてのレーダチャートが表示されたが、以下のように、図１２において複数の粒子を含む粒子選択範囲を比較単位として、この比較単位ごとに図１３のレーダチャートが表示されるようにしても良い。
【０１２９】
すなわち、図１２において複数の粒子からなる粒子選択範囲が設定された後、この選択範囲に含まれる粒子が１つの比較単位として設定される。続いて、異なる粒子により構成される別の比較単位が設定される。これら比較単位に含まれる粒子の各パラメータの統計値が、図１３のレーダチャートに表示される。これにより、粒子ごとの比較ではなく、複数の粒子で構成される比較単位が相互に比較され得る。なお、この場合の表示パラメータ設定画面には、図５の設定領域２０３に相当する領域が設けられており、表示されるパラメータの統計値の種類が選択可能となる。
【０１３０】
また、上記実施の形態では、測定時に、円相当径と円形度の統計値が算出されたが、図３の解析結果１または図４の解析結果２が表示されるときに、これらパラメータの統計値が算出されるようにしても良い。もしくは、測定時に全てのパラメータの統計値が算出されるようにしても良い。
【０１３１】
さらに、上記実施の形態では、分析結果２の初期画面（デフォルト）および“個別粒子の解析表示”の初期画面（デフォルト）において、円相当径、長軸径、短軸径を粒子径パラメータとし、また、円形度、アスペクト比、包絡度（面積）を粒子形状パラメータとする表示が行われたが、これら初期画面において、これら項目以外の組み合わせの項目が設定されても良く、また、４つ以上の粒子径パラメータまたは４つ以上の粒子形状パラメータが設定されていても良い。但し、粒子径パラメータとしては、円相当径、長軸径、短軸径が含まれるのが好ましく、また、粒子形状パラメータとして円形度、アスペクト比、包絡度（周囲長または面積）が含まれるのが好ましい。
【０１３２】
また、選択可能なパラメータは、図５に示すパラメータに限らず、選択設定可能な粒子径パラメータおよび粒子形状パラメータとして、さらに他のパラメータを含めても良い。
【０１３３】
この他、本発明の実施の形態は、特許請求の範囲に示された技術的思想の範囲内において、適宜、種々の変更が可能である。
【符号の説明】
【０１３４】
１  …  測定装置
２  …  情報処理装置
１５  …  フローセル
２０  …  カメラ
３０１  …  ＣＰＵ
【図１】
2011075340.tif 000005
【図２】
2011075340.tif 000006
【図３】
2011075340.tif 000007
【図４】
2011075340.tif 000008
【図５】
2011075340.tif 000009
【図６】
2011075340.tif 000010
【図７】
2011075340.tif 000011
【図８】
2011075340.tif 000012
【図９】
2011075340.tif 000013
【図１０】
2011075340.tif 000014
【図１１】
2011075340.tif 000015
【図１２】
2011075340.tif 000016
【図１３】
2011075340.tif 000017
【図１４】
2011075340.tif 000018
【図１５】
2011075340.tif 000019
【図１６】
2011075340.tif 000020
【図１７】
2011075340.tif 000021
【図１８】
2011075340.tif 000022
【図１９】
2011075340.tif 000023
【図２０】
2011075340.tif 000024
【図２１】
2011075340.tif 000025
【図２２】
2011075340.tif 000026
【図２３】
2011075340.tif 000027